(57)【特許請求の範囲】
【請求項１】
換気用格子を有する開口部を正面部上方に備え、加熱体で加熱された空気が対流され、当該加熱空気が前記開口部を介して排出されるハウジングと、及び
このハウジングの背面部上方に設けられた制御ユニット（４０）と、
を具備する加熱装置であって、
この加熱装置は、当該加熱装置を壁部に保持する壁部枠縁（５０）を有し、この壁部枠縁（５０）は、上端（５１）及びこの上端（５１）へ向けて曲げられている下端（５２）及び前記上端（５１）及び下端（５２）間に壁面に取り付けるための実質的にＵ字形輪郭に形成されている取り付け枠部を具備し、この枠部には、壁面固定用ねじのための貫通孔（５４）が形成され、前記上端（５１）は、嵌合要素（５３）を有し、この嵌合要素（５３）は、前記壁部枠縁（５０）の前記上端（５１）に対し角度（α）だけ曲げられている嵌合フックで構成され、
前記加熱装置の壁面への取り付けの際には、壁面に固定された前記壁部枠縁（５０）の前記下端（５２）が当該加熱装置の背面に嵌め込められ、その後、前記嵌合フックが当該加熱装置の背面の嵌合穴に嵌め込められて当該加熱装置が前記壁部枠縁（５０）に取り付け固定される加熱装置。
【発明の詳細な説明】
【技術分野】
【０００１】
本発明は、加熱装置、特に対流式の加熱装置に関する。
【背景技術】
【０００２】
特許文献１は、加熱装置のハウジングにある空気の加熱を、加熱された空気がハウジングの複数の開口部を通って逃げることができるように、行なうために用いられる加熱体を有する加熱装置を示す。
【先行技術文献】
【特許文献】
【０００３】
【特許文献１】欧州特許第1 323 992 B1号公報
【発明の概要】
【発明が解決しようとする課題】
【０００４】
本発明の課題は、改善された加熱装置を提案することである。
【課題を解決するための手段】
【０００５】
本発明の一つの観点によれば、加熱装置、特に対流式の加熱装置であって、前記加熱装置を壁部に保持する壁部枠縁（５０）を有し、この壁部枠縁（５０）は、嵌合要素（５３）を有する上端（５１）と、この上端（５１）へ向かって曲げられている下端（５２）とを具備し、前記嵌合要素（５３）は、前記壁部枠縁（５０）の前記上端（５１）に対し角度（α）だけ曲げられている嵌合フックを有する加熱装置が提供される。
【０００６】
本発明の他の観点によれば、
加熱装置、特に対流式の加熱装置を取り付けるための壁部枠縁（５０）であって、嵌合要素（５３）を有する上端（５１）と、この上端（５１）へ向かって曲げられている下端（５２）とを具備し、前記嵌合要素（５３）は、前記壁部枠縁（５０）の前記上端（５１）に対し角度（α）だけ曲げられている嵌合フックを有する加熱装置が提供される。
【０００７】
更にまた、本発明の他の観点によれば、
加熱装置、特に対流式の加熱装置であって、ハウジング（１）と、このハウジングに設けられた加熱体（８０）と、この加熱体（８０）を保持するためのホルダとを有し、このホルダは、前記加熱装置の前記ハウジングに固定するための固定ユニット（６０）と、この固定ユニット（６０）および前記加熱体（８０）に固定するためのばねユニット（７０）とを有し、このばねユニットは、前記固定ユニット（６０）に固定される第１の端部（７１）と、第１のアーム（７２）および第２のアーム（７３）を有する第２の端部（７４）とを具備し、前記第１のアーム（７２）は前記第２のアーム（７３）よりも長く形成されている加熱装置が提供される
【発明の効果】
【０００８】
本発明によれば、改良された加熱装置を提供することができる。
【図面の簡単な説明】
【０００９】
【図１】第１の実施の形態を表わす加熱装置の正面図。
【図２】図１の加熱装置の側面斜視図。
【図３】加熱装置の制御ユニットの側面略図。
【図４】加熱装置の制御ユニットの平面略図。
【図５】制御装置すなわち制御ユニットの側面略図。
【図６】他の実施の形態を表わす制御装置の側面略図。
【図７】本発明の或る実施の形態を表わす制御装置の平面略図。
【図８】図１の加熱装置の制御ユニットの側面略図。
【図９】本発明の或る実施の形態を表わす制御ユニットの側面略図。
【図１０】制御ユニットの平面略図。
【図１１】制御ユニットの側面略図。
【図１２】本発明の或る実施の形態を表わす制御ユニットの斜視略図。
【図１３】制御ユニットの下側の部分斜視図。
【図１４】制御ユニットの制御ダイヤルの斜視略図。
【図１５】制御ユニットのハウジングの斜視図。
【図１６】制御ユニットのハウジングの他の斜視図。
【図１７】加熱装置用の保持手段すなわち壁部枠縁の断面図。
【図１８】保持手段の斜視図。
【図１９】加熱装置の加熱体用のホルダの斜視図。
【図２０】加熱体用のホルダの他の斜視図。
【図２１】加熱体用のホルダの更に他の斜視図。
【図２２】加熱体用のホルダの斜視図。
【図２３】加熱体用のホルダの固定ユニットの斜視図。
【図２４】加熱体用のホルダのばね要素の斜視図。
【図２５】ホルダ用の固定ユニットの他の斜視図。
【図２６】図２４に示すばね要素を有する、図２３または図２５に示す固定ユニットの、その断面略図。
【図２７】加熱体用のホルダのためのばね要素の斜視図。
【図２８】加熱体用のホルダの断面略図。
【図２９】加熱体のホルダ用のばね要素の他の略図。
【図３０】加熱体のホルダ用の固定ユニットの斜視図。
【図３１】ばね要素を有する他の固定ユニットを示す図。
【図３２】固定ユニットを有するばね要素を示す図。
【図３３】Ｖ字形のまたは伸開線状の接触領域６４ａおよび接合斜面を有する固定ユニット６０を示す図。
【発明を実施するための形態】
【００１０】
以下、添付した図面を参照して本発明の実施の形態を詳述する。
【００１１】
図１は本発明の実施の形態を表わす対流式の加熱装置の正面図を示す。
【００１２】
加熱装置は、ハウジング１の上方領域に、換気用格子１０を有するハウジング１を具備する。ハウジング１の上側２０は、実質的に丸形にまたは湾曲にデザインされている。このことは、特に、加熱された空気が、僅かな乱流で、換気用格子１０によって覆われた開口部から出ることができる、という利点を有する。
【００１３】
図２は、図１の対流式の加熱装置の側面略図を示す。
【００１４】
ハウジング１は、上方領域に、開口部を有し、開口部は換気用格子１０によって覆われている。ここでは、上方領域は丸形または湾曲にデザインされている。更に、ハウジングは背面３０を有する。この背面に装置を固定することができる。ハウジングの上方領域には、取外し可能な操作または制御ユニット４０が設けられている。
【００１５】
図３は制御ユニット４０の略図を示す。
【００１６】
制御ユニット４０はオンオフスイッチ４２と、加熱装置の加熱体を制御する制御装置すなわち制御ダイヤル４１とを有する。更に、制御ユニット４０は、加熱装置の給電ケーブル用の引っ張り解除ユニット４３を有する。
【００１７】
図４は図３に示す制御ユニット４０の平面略図を示す。
【００１８】
制御ユニットは、制御装置４１と、オンオフスイッチ４２と引っ張り解除ユニット４３とを有する。ここでは、オンオフスイッチ４２は、制御ユニット４０の上方領域に設けられている。それ故に、加熱装置を容易な方法でオンオフにすることができる。何故ならば、オンオフスイッチ４２は容易に接近可能だからである。
【００１９】
図５は制御ユニット４０の側面略図を示す。
【００２０】
制御ユニット４０は、同様に、制御装置４１と、オンオフスイッチ４２と、引っ張り解除ユニット４３とを有する。
【００２１】
図６は制御ユニット４０ｂの略図を示す。
【００２２】
制御ユニット４０ｂは、オンオフスイッチ４２ｂと、加熱装置の加熱体を制御する制御装置４１ｂとを有する。更に、制御ユニット４０ｂは、給電ケーブル用の引っ張り解除ユニット４３ｂを有する。ここでは、オンオフスイッチ４２ｂは、制御ユニット４０ｂの側面に設けられている。
【００２３】
図７は図６に示す制御ユニット４０ｂの平面略図を示す。
【００２４】
制御ユニットは、制御装置４１ｂと、オンオフスイッチ４２ｂと、引っ張り解除ユニット４３ｂとを有する。ここでは、オンオフスイッチ４２ｂは、制御ユニット４０ｂの側面に設けられている。それ故に、加熱装置を容易な方法でオンオフにすることができる。何故ならば、オンオフスイッチ４２ｂは容易に接近可能だからである。
【００２５】
図８は制御ユニット４０ｂの側面略図を示す。
【００２６】
制御ユニット４０ｂは、同様に、制御装置４１ｂと、オンオフスイッチ４２ｂと、引っ張り解除ユニット４３ｂとを有する。
【００２７】
図６から図８の他の実施の形態に示す制御ユニット４０ｂの場合、オンオフスイッチ４２ｂは制御ユニットの上方にではなく、制御ユニットの側面に設けられている。それ故に、オンオフスイッチ４２ｂの容易な接近可能性が同様に保証されている。
【００２８】
図９は制御ユニット４０ｃの略図を示す。
【００２９】
制御ユニット４０ｃは、オンオフスイッチ４２ｃと、加熱装置の加熱体を制御する制御装置４１ｃとを有する。更に、制御ユニット４０ｃは、給電ケーブル用の引っ張り解除ユニット４３ｃを有する。ここでは、オンオフスイッチ４２ｃは、制御ユニット４０ｃの側面に設けられている。
【００３０】
図１０は図３に示す制御ユニット４０ｃの平面略図を示す。
【００３１】
制御ユニットは、制御装置４１ｃと、オンオフスイッチ４２ｃと、引っ張り解除ユニット４３ｃとを有する。ここでは、オンオフスイッチ４２ｃは制御ユニット４０ｃの側面に設けられている。それ故に、加熱装置を容易な方法でオンオフにすることができる。何故ならば、オンオフスイッチ４２ｃは容易に接近可能だからである。
【００３２】
図１１は制御ユニット４０ｃの側面略図を示す。
【００３３】
制御ユニット４０ｃは、同様に、制御装置４１ｃと、オンオフスイッチ４２ｃと、引っ張り解除ユニット４３ｃとを有する。
【００３４】
引っ張り解除ユニット４３および４３ｂが実質的に矩形に形成されているのに対し、図９ないし１１に示す引っ張り解除ユニット４３ｃの両端は丸く形成されている。
【００３５】
図１２は加熱装置用の制御ユニット４０の斜視図を示す。
【００３６】
制御ユニットは、オンオフスイッチ４２と、制御装置４１と、引っ張り解除ユニット４３と、上方の領域に、排気用格子４８とを有する。更に、制御ユニット４０のハウジングの上方領域には、引っ込み部分４６が設けられている。それ故に、制御ユニットの内部にある加熱された空気が、排気用格子４８を通って逃げることができる。
【００３７】
図１３は制御ユニット４０の下方領域の部分の斜視図を示す。
【００３８】
ここでは、特に、引っ張り解除ユニット４３が示されている。引っ張り解除ユニットは、一方では、給電用ケーブルの引っ張り解除のために用いられ、他方では、給電用ケーブルを導くために用いられる。ここでは、引っ張り解除ユニット４３は第１の部分４３−１を有する。この第１の部分は第２の部分４３−２に移行し、第２の部分は第１の部分よりも幅広く形成されている。この後に、第３の部分４３−３が設けられている。第３の部分は、再度、実質的に第１の部分４３−１の横断面に対応する。ここでは、第１のおよび第３の部分４３−１，４３−３の横断面は、給電用ケーブルをそこで導き入れることができるように、構成されている。ここでは、第２の部分４３−２の横断面は、給電用ケーブルに設けられたケーブル拡張部をそこに設けることができるように、構成されている。給電用ケーブルの拡張部を第２の部分４３−２に設けるとき、この配置が給電用ケーブルの引っ張り解除を可能にする。従って、ＶＤＥ６０３３５  １部、２５条に基づくケーブルに、リングを有する分岐器具（Ｙ）を取り付ける方法を保証することができる。引っ張り解除ユニット４３の右隣には、冷却通路４５が設けられている。それ故に、対流による冷却を可能にすることができる。
【００３９】
図１４は制御装置４１の略図を示す。
【００４０】
ここでは、制御装置がのこぎり形領域で丸く構成されていてもよい。
【００４１】
図１５は制御ユニット４０のハウジングの斜視図を示す。
【００４２】
ハウジングの下方領域には引っ張り解除ユニット４３が示されており、上方領域には制御装置４１用の複数の接続部４１ｘが示されている。更に、引っ張り解除ユニット４３の左隣および右隣に設けられている冷却通路４５が示されている。従って、同様に、引っ張り解除ユニット４３の冷却が達成される。それ故に、例えば、ＰＶＣケーブルを用いることができる。制御装置４１用の接続部４１ｘの領域には、２つのボルト４１ｙが示されている。これらのボルトには、制御装置が嵌められる。それ故に、制御装置は実質的にカバーによって保持される。制御ユニット４０の上方領域には、排気孔として用いられることができる、引っ込んだ縁部４９を設けることができる。その目的は、加熱された空気がこの排気部を通って逃げることができるためである。制御ユニットの右側では、ハウジングに、接触面４５ａを設けることができる。ハウジングのこの接触面には、制御ユニットが接触していることができる。
【００４３】
上記排気孔４９は、例えば、２ないし５ｍｍのギャップであってもよい。
【００４４】
図１６は制御ユニット４０のハウジングの斜視図を示す。
【００４５】
ここでは、ハウジングの下方領域は 後壁４７によって閉じられている。制御ユニット４０の下方領域には、引っ張り解除ユニットの第１の部分４３−１が見て取れる。後壁４７には、他の排気スリット４５ｂが設けられていてもよい。この排気スリットを通って、制御ユニット内で加熱された空気が流出することができる。後壁４７を制御ユニットのハウジングに固定するために、ロック要素４５ｃを、後壁４７の従ってまたハウジングの下方領域に設けることができる。
【００４６】
図１７には、加熱装置用の壁部枠縁の断面略図が示されている。
【００４７】
壁部枠縁５０は上端５１および下端５２ならびに２つの貫通孔５４を有する。貫通孔５４によって、壁部枠縁を、例えば２つのねじによって壁部に固定することができる。壁部枠縁の上端５１には、嵌合フック５３が設けられている。嵌合フックは上端５１に対し角度αだけずれた状態または曲げた状態で設けられている。壁部枠縁の下端５２は、同様に、上方に曲げた状態にデザインされている。従って、壁部枠縁は、実質的にＵ字形の輪郭を有し、只１つの部品から曲げられることは好ましい。
【００４８】
図１８は図１７の壁部枠縁の斜視図を示す。
【００４９】
壁部枠縁５０は上端５１と、下端５２と、壁部に取り付けるための２つの貫通孔５４とを有する。上端５１には、同様に、嵌合フック５３が示されている。嵌合フックは上端５１に対し角度αで設けられている。特に対流式の加熱装置を取り付けるために、壁部枠縁を、まず、貫通孔５４および対応のねじによって壁部に固定する。加熱装置を、まず、壁部枠縁の下端５２に嵌め込み、角度αだけ曲げた嵌合フック５３を、その嵌合フック５３が嵌まり込むまで、加熱装置の後壁３０に形成された穴に導き入れる。嵌合フックが角度αだけ傾斜していることによって、嵌合フックが加熱装置の後壁３０に形成された穴により良く当たり、嵌合フック５３がより良く穴に導き入れられることができる。
【００５０】
図１９は加熱装置の加熱体用のホルダの斜視図を示す。
【００５１】
ここでは、加熱体８０用のホルダは、固定ユニット６０およびばね要素すなわちばねユニット７０を有する。固定ユニット６０はハウジングに、特にハウジングの下部に固定される。このとき、ばね要素７０によって、固定ユニット６０は加熱体８０に結合される。加熱に基づく加熱体８０の伸びを受け止めるために、要素７０をばね要素としてデザインすることは好ましい。
【００５２】
図２０は、固定ユニット６０と、加熱体８０に固定されているばね要素７０との斜視図を示す。
【００５３】
図２１は、固定ユニット６０とばね要素７０との他の実施の形態の斜視図を示す。
【００５４】
図２２は、固定ユニット６０およびばね要素７０の、すなわち、加熱体８０用のホルダの斜視図を示す。
【００５５】
図２３は固定ユニット６０の斜視図を示す。
【００５６】
固定ユニット６０は下側６２を有する。この下側は、加熱装置のハウジングに固定されるために形成されている。更に、固定ユニット６０は、ばねユニット７０を収容するために用いられる第２の部分６３を有する。
【００５７】
図２４は加熱体用のホルダのばね要素の斜視図を示す。
【００５８】
ばね要素７０は、固定ユニットの第２の部分６３に入れられかつ固定される第１の端部７１を有する。ばね要素７０は第１のアーム７２および第２のアーム７３を有する。２つのアームの各々は、湾曲した部分７２ａ，７３ａを有する。この部分は、加熱体に入れられるために用いられる。これらの端部を加熱体の２つの積層の間に入れることは好ましい。ばね要素７０の第１のアーム７２は、第２のアーム７３よりも長く、少なくとも部分的に波形に形成されている。それ故に、このアームを、加熱体の２つの積層の間により良く入れることができ、面のより大きな固定を行なうことができる。従って、ばね要素によって、加熱体に作用する力および回転トルクの吸収を改善することができる。
【００５９】
図２５は固定ユニット６０の略図を示す。
【００６０】
固定手段６０は下側６２を有する。この下側を加熱装置のハウジングに結合することは好ましい。第２の部分６３は、ばね要素７０の第１の端部７１を収容するために用いられる。固定ユニット６０がプラスチックから構成されていることは好ましい。
【００６１】
図２６は、ばね要素７０が挿入された固定ユニットの断面略図を示す。
【００６２】
ここでは、ばね要素７０の第１の端部７１は、ボルト６９を回って入れられる。それ故に、第１の端部７１の一部分は突起部６８の後方に係合する。
【００６３】
図２７は代替の実施の形態を表わすばね要素の略図を示す。
【００６４】
ばね要素７０−１は実質的に薄板から製造される。薄板は下方の部分７１−１を有する。この部分の開放端は、同様に曲げられている。ばね要素７０−１の他端には、２つの固定ユニット７２−１および７３−１が設けられている。これらの固定ユニットは、加熱体の２つの積層の間に入れられるために用いられる。
【００６５】
図２８は加熱体およびばね要素７０の端部の横断面略図を示す。
【００６６】
ここでは、特に、ばね要素の第１のアーム７２が示されている。このアームは、加熱体の複数の積層に形成された穴に入れられる。
【００６７】
図２９は、ばね要素７０のアームの端部の異なった横断面略図を示す。
【００６８】
図３０は固定ユニットおよびばね要素の下方部分の２つの断面略図を示す。
【００６９】
図３１は、固定ユニット６０および固定プレート６１を有する第１の端部７１が曲げられていないばね要素７０を示す。
【００７０】
ばね要素７０は、第１の端部７１の領域で、Ｕ字形に曲げられており、第１の端部７１で、実質的に同じ面に、好ましくは、まさしく同じ面にあって、この面から出っ張った折り曲げ部を有しない。ばね要素７０は、更に、打ち抜き部分６４を通って、固定ユニット６０に差し込まれている。固定プレート６１は固定ユニット６０のトンネル６５に押し込まれかつロックされており、ばね要素７０の第１の端部７１を固定する。固定プレート６１の嵌合フック６６がアンダーカット部分または打ち抜き部分６７に嵌合することは好ましい。固定プレート６１を確実に固定するために、固定プレートが、固定ユニット６０の外面６０ａから間隔Ｘをあけて位置していることは好ましく、反対側では、固定ユニット６０の外面６０ｂから寸法Ｙだけ突出している。間隔Ｘおよび寸法Ｙが少なくとも約０．５ｍｍ、実施の形態では約２ｍｍであることは好都合である。取付の際には、簡単な舌部を用いて、固定プレート６１を固定ユニット６０に押し入れることができる。このことによって、固定プレート６１が確実に嵌まること、すなわち、嵌合フック６６を確実に打ち抜き部分６７に押し入れることができることが達成される。固定プレート６１の嵌合の代わりに、ねじまたはコッタによって、固定プレートを固定しまたは貼り付けまたは摩擦溶接することもできる。固定プレート６１は、１から４５°の、好ましくは約１０°の角度を有する少なくとも１つの嵌め込み用傾斜部６１ａを有する。固定ユニット６０は、同様に、少なくとも１つの挿入用傾斜部６０ｃまたは段（Phase）を有する。
【００７１】
図３２は図３１を参照して記述した平らな第１の端部７１を有するばね要素７０を示す。
【００７２】
第２の端部７４は第１のアーム７２および第２のアーム７３を有する。第１のアーム７２には、第１の端部７１がデザインされているのと同じ面で、幾重もの折り曲げ部分がデザインされている。まず、折り曲げ部分７２ｃが約９０°外へ曲げられ、夫々約４５°ないし９０°内側に曲げられた２つの折り曲げ部分７２ｄが連続的に位置しており、４５°の立ち上がり部分７２ｃが続く。第１のアーム７２の延びでは、より長い直線部分７２ｆおよび９０°のフック７２ｇが下方に延びている。しかし、このフックは上向きにデザインされていてもよい。ほぼＶ字形またはＵ字形の折り曲げ部分７３ｂを有する第２のアーム７３が、向かい合うように設けられている。ここでは、Ｖ字またはＵ字は、第１の端部７１の面から外側へ、好ましくは約９０°曲げられる。これらアームは図３２には図示しない加熱体へ係合し、第１のアーム７２のフック７２ｇは、第２のアームの、Ｖ字形のまたはＵ字形のフック７３ｂに係合し、すなわち差し込まれてロックされていてもよい。ばね要素７０が、Ｖ字形の、または伸開線状の、上方へ累進的に開く接触領域６４ａに位置していることは好都合である。これらの接触領域は、固定プレート６１と共に、上方に開く通路を形成する。
【００７３】
図３３に示すように、開口部は、上方に向けて、開口部の底よりもすなわちワイヤの直径よりも０．３ないし３ｍｍだけ幅広くなる。図３３では、開口部は、要素７０の密着を示すために、誇張して示される。このことは、類推で、四角の輪郭を有する薄板からなるばね要素にも該当する。ばね要素７０の棒７５は、加熱による加熱体８０の膨張に応じて、接触領域６４ａに強く接触し、特に更に上方では、接触領域６４ａの形状に密着する。接触領域６４ａの下方領域では、約３−５ｍｍの高さＺまで、シリンダ状の領域が設けられている。その目的は、棒７５が下方でしっかり埋設されており、がたつかないためである。従って、加熱体８０は、搬送の際におよび取り付けられた状態で、しっかり留められかつ保持されている。加熱作動中に、加熱体８０の加熱中に、加熱体は膨張し、縦方向伸びは、接触領域６４ａへの棒７５の密着および棒７５の弾性変形（破線で図示）によって、吸収される。
【符号の説明】
【００７４】
１…ハウジング、３０…背面、４０…制御ユニット、操作ユニット、４３…引張り解除ユニット、４３−２…拡張された部分
【図１】
0005453470.tif 000002
【図２】
0005453470.tif 000003
【図３】
0005453470.tif 000004
【図４】
0005453470.tif 000005
【図５】
0005453470.tif 000006
【図６】
0005453470.tif 000007
【図７】
0005453470.tif 000008
【図８】
0005453470.tif 000009
【図９】
0005453470.tif 000010
【図１０】
0005453470.tif 000011
【図１１】
0005453470.tif 000012
【図１２】
0005453470.tif 000013
【図１３】
0005453470.tif 000014
【図１４】
0005453470.tif 000015
【図１５】
0005453470.tif 000016
【図１６】
0005453470.tif 000017
【図１７】
0005453470.tif 000018
【図１８】
0005453470.tif 000019
【図１９】
0005453470.tif 000020
【図２０】
0005453470.tif 000021
【図２１】
0005453470.tif 000022
【図２２】
0005453470.tif 000023
【図２３】
0005453470.tif 000024
【図２４】
0005453470.tif 000025
【図２５】
0005453470.tif 000026
【図２６】
0005453470.tif 000027
【図２７】
0005453470.tif 000028
【図２８】
0005453470.tif 000029
【図２９】
0005453470.tif 000030
【図３０】
0005453470.tif 000031
【図３１】
0005453470.tif 000032
【図３２】
0005453470.tif 000033
【図３３】
0005453470.tif 000034